(57)【要約】【課題】携帯端末の正当な所有者であるか否かを簡単に判断することができ、ゲート管理の確実性も向上させることができるゲート管理システムを提供する。【解決手段】ゲート管理システム１００は、携帯電話機１０と、携帯電話機１０と通信を行い、ゲートの開錠管理を行うゲート管理装置２０と、受付場所に設置され、携帯電話機１０と通信を行う受付Ｒ／Ｗ３０などとを備えるシステムである。受付Ｒ／Ｗ３０に携帯電話機１０をかざすと（＃２０２）、三者間通信の機能によりＰＩＮ認証画面が起動され（＃２０３）、正しいＰＩＮが入力されるとＰＩＮ認証フラグが立てられる（＃２０５）。携帯電話機１０をゲート管理装置２０に持って行き、ゲート管理装置２０で、ＩＤの一致とＰＩＮ認証フラグの確認ができたら、ゲートが開錠される（＃２０６，＃２０７）。【選択図】図３
2008052666.tif 000002
【特許請求の範囲】
【請求項１】
携帯端末と、
前記携帯端末と通信を行い、ゲートの開錠管理を行うゲート管理装置とを備えるゲート管理システムであって、
前記携帯端末は、
入力部と、
識別番号及び暗証番号を記憶している端末記憶部と、
前記入力部に入力された暗証番号と前記端末記憶部が記憶している暗証番号とが一致しているか否かを判断し、一致していると判断した場合に、所定のフラグを立てるフラグ設定部とを備え、
前記ゲート管理装置は、
前記識別番号を記憶している装置記憶部と、
前記携帯端末の識別番号及び所定のフラグを読み取る読取部と、
前記装置記憶部が記憶している識別番号と前記読取部が読み取った識別番号とが一致しているか否かを判断し、かつ、前記読取部が読み取った所定のフラグが立っているか否かを判断し、前記識別番号が一致しているかつ前記所定のフラグが立っていると判断した場合に、ゲートを開錠する開錠制御部とを備えること、
を特徴とするゲート管理システム。
【請求項２】
請求項１に記載のゲート管理システムにおいて、
受付場所に設置され、前記携帯端末と通信を行うリーダライタを備え、
前記携帯端末は、前記リーダライタから入力要求を受信した場合に、前記入力部への暗証番号の入力を許可する入力許可部を備えること、
を特徴とするゲート管理システム。
【請求項３】
請求項１又は請求項２に記載のゲート管理システムにおいて、
前記携帯端末は、ＩＣチップが搭載された携帯端末であり、
前記識別番号，前記暗証番号及び前記所定のフラグは、前記ＩＣチップに記憶されていること、
を特徴とするゲート管理システム。
【発明の詳細な説明】
【技術分野】
【０００１】
本発明は、ゲート管理システムに関するものである。
【背景技術】
【０００２】
携帯電話機を用いたゲート管理システムを構築する場合、携帯電話機の使用者が携帯電話機の正当な所有者であるか否かを特定することは困難である。
このような問題を解決するため、特許文献１は、ユーザーの顔の画像データを予め携帯電話機に登録しておき、カメラユニットで撮影した画像データと比較して、同一人物であるか否かを判断するセキュリティ管理システムを開示している。
【０００３】
しかし、ユーザーの顔の画像データを予め携帯電話機に登録しておくことは、その作業が煩雑である。
また、登録している顔の画像データとその場で撮影した顔の画像データとが完全に一致するとは言い切れず、正当な所有者であっても入場することができない可能性があった。
【特許文献１】特開２００５−２１７５２４号公報
【発明の開示】
【発明が解決しようとする課題】
【０００４】
本発明の課題は、携帯端末の正当な所有者であるか否かを簡単に判断することができ、ゲート管理の確実性も向上させることができるゲート管理システムを提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、携帯端末（１０）と、前記携帯端末（１０）と通信を行い、ゲートの開錠管理を行うゲート管理装置（２０）とを備えるゲート管理システム（１００）であって、前記携帯端末（１０）は、入力部（１１）と、識別番号及び暗証番号を記憶している端末記憶部（１２）と、前記入力部（１１）に入力された暗証番号と前記端末記憶部（１２）が記憶している暗証番号とが一致しているか否かを判断し、一致していると判断した場合に、所定のフラグを立てるフラグ設定部（１３）とを備え、前記ゲート管理装置（２０）は、前記識別番号を記憶している装置記憶部（２１）と、前記携帯端末（１０）の識別番号及び所定のフラグを読み取る読取部（２２）と、前記装置記憶部（２１）が記憶している識別番号と前記読取部（２２）が読み取った識別番号とが一致しているか否かを判断し、かつ、前記読取部（２２）が読み取った所定のフラグが立っているか否かを判断し、前記識別番号が一致しているかつ前記所定のフラグが立っていると判断した場合に、ゲートを開錠する開錠制御部（２３）とを備えること、を特徴とするゲート管理システム（１００）である。
請求項２の発明は、請求項１に記載のゲート管理システム（１００）において、受付場所に設置され、前記携帯端末（１０）と通信を行うリーダライタ（３０）を備え、前記携帯端末（１０）は、前記リーダライタ（３０）から入力要求を受信した場合に、前記入力部（１１）への暗証番号の入力を許可する入力許可部（１４）を備えること、を特徴とするゲート管理システム（１００）である。
請求項３の発明は、請求項１又は請求項２に記載のゲート管理システム（１００）において、前記携帯端末（１０）は、ＩＣチップが搭載された携帯端末（１０）であり、前記識別番号，前記暗証番号及び前記所定のフラグは、前記ＩＣチップに記憶されていること、を特徴とするゲート管理システム（１００）である。
【発明の効果】
【０００６】
本発明によれば、所定のフラグと識別番号とを確認するだけで、携帯端末の正当な所有者であるか否かを簡単に判断することができる。
また、暗証番号で認証を行い、識別番号及び所定のフラグで認証を行うといったように、２段階の認証を行うことによって、セキュリティ性を高めることができる。
さらに、正当な所有者が正しい暗証番号を入力すれば、従来の顔の画像データのように認証ミスは発生しにくく、ゲート管理の確実性も向上させることができる。
さらにまた、リーダライタを受付場所に設置し、リーダライタから入力要求を受信した場合に、入力部への暗証番号の入力を許可するので、受付のリーダライタに携帯端末をかざさないと本人認証が行えず、不正行為の防止や抑止に効果的である。
【発明を実施するための最良の形態】
【０００７】
本発明は、携帯端末の正当な所有者であるか否かを簡単に判断することができ、ゲート管理の確実性も向上させることができるゲート管理システムを提供するという目的を、暗証番号を用いて受付で本人確認を行い、識別番号及び所定のフラグを用いてゲートでも本人確認を行うことにより実現する。
【実施例】
【０００８】
以下、図面等を参照して、本発明の実施例について、さらに詳しく説明する。
図１は、本発明によるゲート管理システムの実施例１を示す図である。
本実施例のゲート管理システム１００は、携帯電話機（携帯端末）１０と、携帯電話機１０と通信を行い、ゲートの開錠管理を行うゲート管理装置２０と、受付場所に設置され、携帯電話機１０と通信を行う受付Ｒ／Ｗ（リーダライタ）３０などとを備える。
【０００９】
携帯電話機１０は、入力部１１と、端末記憶部１２と、フラグ設定部１３と、入力許可部１４とを備える。
入力部１１は、数字や文字、操作指示などの情報をユーザーが入力する部分であり、複数のキーを備える。
端末記憶部１２は、ＩＤ（識別番号）及びＰＩＮ（Personal Identification Number；暗証番号）を記憶している部分である。
フラグ設定部１３は、入力部１１に入力されたＰＩＮと端末記憶部１２が記憶しているＰＩＮとが一致しているか否かを判断し、一致していると判断した場合に、ＰＩＮ認証フラグ（所定のフラグ；認証済みフラグ）を立てる部分である。
入力許可部１４は、受付Ｒ／Ｗ３０から入力要求を受信した場合に、入力部１１へのＰＩＮの入力を許可する部分である。
また、携帯電話機１０は、ＦｅｌｉＣａチップ（ＩＣチップ；「ＦＥＬＩＣＡ」は登録商標）が搭載されたモバイルＦｅｌｉＣａであり、識別番号，暗証番号及びＰＩＮ認証フラグは、ＦｅｌｉＣａチップのメモリに記憶されている。
【００１０】
ゲート管理装置２０は、装置記憶部２１と、ゲートＲ／Ｗ（読取部）２２と、開錠制御部２３とを備える。
装置記憶部２１は、携帯電話機１０と同じＩＤを記憶している部分である。
ゲートＲ／Ｗ２２は、携帯電話機１０のＩＤ及びＰＩＮ認証フラグを読み取る部分である。
開錠制御部２３は、装置記憶部２１が記憶しているＩＤとゲートＲ／Ｗ２２が読み取ったＩＤとが一致しているか否かを判断し、かつ、ゲートＲ／Ｗ２２が読み取ったＰＩＮ認証フラグが立っているか否かを判断し、ＩＤが一致しているかつＰＩＮ認証フラグが立っていると判断した場合に、ゲートを開錠する部分である。
【００１１】
図２は、携帯電話機１０の初期登録の流れについて説明する図である。
まず、ユーザーは、自分の携帯電話機１０で、ダウンロードサイトにアクセスする（＃１０１）。
そうすると、初期登録画面が表示されるので、ユーザーは、「企業名」「名前」「電話番号」「ＩＤ」「ＰＩＮ」などを入力し、「ＯＫ」ボタンを押す（＃１０２）。
ついで、確認画面が表示されるので、ユーザーは、入力内容を確認し、入力内容が正しければ、「ＯＫ」ボタンを押す（＃１０３）。
【００１２】
入力内容は、アプリダウンロードサーバ４０に送信され（＃１０４）、アプリダウンロードサーバ４０からユーザーの携帯電話機１０に入館証用のアプリケーションがダウンロードされ（＃１０５）、起動確認画面が表示される（＃１０６）。
ユーザーが、「はい」を押すと、「ＩＤ」と「有効期限」とが表示される（＃１０７）。なお、「ＰＩＮ」は表示されない。
このときのＦｅｌｉＣａチップ１５の状態は、「ＩＤ」、「ＰＩＮ」、「有効期限」が設定されている状態である（＃１０８）。
【００１３】
図３は、ゲート管理システム１００の動作の流れについて説明する図である。
まず、事前に入館証用のアプリケーションをダウンロードし、ＦｅｌｉＣａチップをパーソナライズ（個人用に設定）する（＃２０１；図２の＃１０１〜＃１０８に対応）。
ユーザーは、来社時に、受付Ｒ／Ｗ３０に携帯電話機１０をかざす（＃２０２）。
そうすると、三者間通信（受付Ｒ／Ｗ３０、携帯電話機１０、ＦｅｌｉＣａチップ１５での通信）の機能が動作し、ＰＩＮ認証画面が起動される（＃２０３）。
ユーザーは、ＰＩＮを入力し、ＦｅｌｉＣａチップは、ＦｅｌｉＣａチップ内のＰＩＮと入力されたＰＩＮとを照合する（＃２０４）。
照合に成功した場合には、ＰＩＮ認証フラグを立てる（＃２０５）。
【００１４】
そして、ユーザーは、携帯電話機１０を持ってゲート管理装置２０に行き、ゲートＲ／Ｗ２２に携帯電話機１０をかざす。
ゲート管理装置２０のゲートＲ／Ｗ２２は、携帯電話機１０からＩＤとフラグを読み取り、ゲート管理装置２０は、ＩＤの一致とＰＩＮ認証フラグの確認ができ、ゲートＲ／Ｗ２２での認証が完了したら、ゲートを開錠する（＃２０６，＃２０７）。
なお、ＰＩＮ認証フラグの解除は、退室時のゲートＲ／Ｗ２２又は帰社時の受付Ｒ／Ｗ３０にて行う。
【００１５】
このように、本実施例によれば、以下のような効果がある。
（１）モバイルＦｅｌｉＣａとしての携帯電話機１０は、通常の一時貸出カードと異なり、ユーザーが常時携帯するので、紛失の恐れもあり、カードの正当性だけでなく本人確認が重要となるが、本実施例では、ＰＩＮ認証フラグとＩＤとを確認するだけで、携帯電話機１０の正当な所有者であるか否かを簡単に判断することができる。
（２）ＰＩＮで認証を行い、さらにＩＤ及びＰＩＮ認証フラグで認証を行うといったように、２段階の認証を行うことによって、セキュリティ性を高めることができる。
（３）正当な所有者が正しいＰＩＮを入力すれば、従来の顔の画像データのように認証ミスは発生しにくく、ゲート管理の確実性も向上させることができる。
【００１６】
（４）ＦｅｌｉＣａチップ内のＩＤや有効期限だけでは、紛失時の不正利用のリスクが避けられないが、「携帯電話機１０を持っている」ということ以外の本人確認を、受付という限られた環境で行うことができるので、セキュリティ性を高めることができる。
（５）受付Ｒ／Ｗ３０に携帯電話機１０かざさないと、ＰＩＮ入力画面が起動できないので、確実に受付を経由させることができ、不正行為を防止したり、抑止したりする効果がある。
（６）ＰＩＮ入力画面は、ユーザーの操作では表示できず、受付Ｒ／Ｗ３０に携帯電話機１０かざした時のみ三者間通信の機能で表示されるので、携帯電話機１０を拾った悪意者が、受付以外の場所で不正に本人認証を行うような行為を防止することができる。
（７）ＩＤ、ＰＩＮ及びＰＩＮ認証フラグは、ＦｅｌｉＣａチップのメモリに記憶されているので、三者間通信の機能を利用して、簡単に本人認証を行うことができる。
【００１７】
（変形例）
以上説明した実施例に限定されることなく、種々の変形や変更が可能であって、それらも本発明の均等の範囲内である。
携帯端末は、ＦｅｌｉＣａチップが搭載されたモバイルＦｅｌｉＣａの例で説明したが、通常の携帯電話機でもよく、また、ＰＤＡ（personal digital assistant）などの携帯端末であってもよい。
【図面の簡単な説明】
【００１８】
【図１】本発明によるゲート管理システムの実施例１を示す図である。
【図２】携帯電話機１０の初期登録の流れについて説明する図である。
【図３】ゲート管理システム１００の動作の流れについて説明する図である。
【符号の説明】
【００１９】
１０  携帯電話機（携帯端末）
１１  入力部
１２  端末記憶部
１３  フラグ設定部
１４  入力許可部
１５  ＦｅｌｉＣａチップ
２０  ゲート管理装置
２１  装置記憶部
２２  ゲートＲ／Ｗ（読取部）
２３  開錠制御部
３０  受付Ｒ／Ｗ（リーダライタ）
４０  アプリダウンロードサーバ
１００  ゲート管理システム
【図１】
2008052666.tif 000003
【図２】
2008052666.tif 000004
【図３】
2008052666.tif 000005